(57)【特許請求の範囲】
【請求項１】
適宜な太さの合成樹脂フィラメント糸を複数束ねたものを網状に編成してメッシュ構造とした生地を表地とし、極細のポリエステルフィラメント糸を目巾が０．２ｍｍから０．４ｍｍの平織りにした生地を裏地とした二重構造の生地を、上記裏地を内側にして上縁開口の袋状に縫製して袋主体を構成し、その袋主体の開口部には開閉具を設けたことを特徴する穀物類の収納袋。
【発明の詳細な説明】
【技術分野】
【０００１】
この発明は、脱穀前の生籾や麦などの穀類、及び、脱穀後の籾殻など（以下「穀物類」という。）を収容、保管する収納袋に関するものである。
【背景技術】
【０００２】
従来、生籾や籾殻などを収納する袋は広汎に利用されている。例えば、特許文献１に開示された提げ手付穀粒収納袋や、特許文献２に開示された穀粒収納袋に、その基本的形状が示されている。
【０００３】
特許文献１の穀粒収納袋は、適当な太さの合成樹脂モノフィラメントを適宜の目巾に編成してなる網地によって上方開口の袋主体を構成し、該開口にファスナーなどの開閉具を縫着したものであり、適宜、持ち手やハトメ孔などを設けたものである。また、特許文献２の穀粒収納袋は、クロス織地によって縫製された袋主体の上縁開口部にファスナーなどを縫着し、同様に取り手やハトメ孔などを設けたものである。
【０００４】
前者の網地（メッシュ地）によるものは、生籾などの保管時において通気性をよくするためであり、後者のようにクロス地によるものは、籾殻粉などが漏出、飛散しないようにしたものである。また、収納物の内容に応じて、袋の大きさは、種々のものが提供されている。
【０００５】
このような収納袋は、年間を通して利用され、収穫時期の異なる穀物類を順次収納して利用できる利点がある。例えば、夏の麦収穫時には麦を収納して一定期間保管しておき、その後、秋の米収穫時には、生籾や籾殻を収納して一定期間保管しておくことができる。
【先行技術文献】
【特許文献】
【０００６】
【特許文献１】実公平１−１０３５９号公報
【特許文献２】特開平１０−７１５６号公報
【発明の概要】
【発明が解決しようとする課題】
【０００７】
ところで、麦などを収納する場合、麦は野毛が多いため、収納袋に麦を収納した場合にはその野毛が袋の網地のメッシュ構造に引っ掛かり、麦を排出した後も多数の麦粒が袋内に残留する。そのため、後にこの収納袋に生籾（米）を収納すると、袋内に残注した麦が生籾に混入し、品質の低下を招くという問題がある。また、生籾を脱穀した後の籾殻を収納する場合にも、籾殻にも野毛や突起物があることから、同様に収納袋の内側に籾殻が残留し、上記同様の問題が生じるとともに、その除去に手間を要し、作業効率の低下を招いている。
【０００８】
さらに、脱穀時には、分離した野毛や穀物の微細なかけらなどの多数の穀粒粉が生じるが、籾殻などを収納した収納袋の運搬時に、メッシュ状の目地からこの穀粒粉が漏出、飛散するので、運搬車両を汚損するとともに、飛散する穀粒粉を吸い込むなど、作業環境の悪化を生じており、作業効率も低下するという問題が生じている。
【０００９】
そこで、本発明は、上記従来の課題を解決することを目的としてなされたものであって、野毛の多い穀物を収納しても、排出時には完全に排出して内壁などに穀物類が残留しないようにするとともに、目地の隙間から穀粒粉が漏出、飛散しないようにした収納袋を提案するものである。
【課題を解決するための手段】
【００１０】
本発明は、上述した課題を解決するためになされたものであり、穀物類の収納袋として、適宜な太さの合成樹脂フィラメント糸を複数束ねたものを網状に編成してメッシュ構造とした生地を表地とし、極細の合成樹脂フィラメント糸を目巾が穀類の野毛が貫通しない程度の細かさで平織りにした生地を裏地とした二重構造の生地を、上記裏地を内側にして上縁開口の袋状に縫製して袋主体を構成し、その袋主体の開口部には開閉具を設けるという手段を採用した。
【００１１】
そして、具体的には、裏地は、ポリエステルフィラメント糸を目巾が０．２mmから０．４mmの平織りにした生地で構成した。
【００１２】
上記構成を採用したことにより、収納袋の内側は目巾が細かく平滑な素材で形成されることになる。
【００１３】
また、袋主体の上縁及び／又は下縁に提げ手を設けるという手段を採用した。
【００１４】
提げ手を設けることにより、作業効率が向上するものである。
【発明の効果】
【００１５】
上記発明に係る穀物類の収納袋は、袋の内側の全面が目巾が細かく平滑な裏地で形成されているので、麦などの野毛の多い穀物を収納しても、その野毛が裏地に引っ掛かることがなく、排出時には完全に全量を排出することができ、穀物類の残留が全く生じない。そのため、再利用により他の穀物類を収納しても、異種の混入による品質の低下を招くことはない。
【００１６】
また、穀物類の残留がないので、従来のように残留穀物類を手作業で取り去る等の手間がなく、作業性に優れ、効率のよい作業をすることが可能となった。
【００１７】
さらに、裏地は目巾が細かいので、穀粒粉を透過させないから、作業時に粉塵を生じることがなく、運搬車両を汚損したり、飛散する穀粒粉を吸い込むなどして、作業環境の悪化を生じることもない。そのため、作業環境を極めて良好に維持することが可能である。
【００１８】
また、二重構造の生地を使用するから、従来のこの種の収納袋より強靱であり、繰り返しの利用に適している。この場合、裏地は薄く軽量な素材であるので、従来のものとほとんど重量の変化はなく、取扱いに支障が生じることもない。
【００１９】
また、裏地も表地と同様にある程度の通気性を有するので、収納物が蒸れることがなく、目巾が細かいことから雨水等に対してある程度の撥水性を期待でき、穀物の長期の保管に適している。さらに、目巾が細かいので、微細な害虫の侵入を確実に防止することが出来ると共に、ある程度の遮光性があるので、紫外線や赤外線等の影響から穀物を保護する点でも優れている。
【００２０】
また、上下縁に提げ手を設けることにより、重量のある収納袋の持ち運びが容易となり、作業の効率化が期待できる。
【図面の簡単な説明】
【００２１】
【図１】本発明に係る穀物類の収納袋を一部切欠して示す正面図である
【図２】収納袋の開口部の部分断面図である。
【発明を実施するための形態】
【００２２】
以下、本発明に係る穀物類の収納袋の好ましい実施形態を添付した図面について説明する。各図において、１は適宜な大きさの袋本体であり、上縁開口の袋状で、開口部にはファスナーなどの開閉具２を縫着している。３、３は袋主体の上下両縁の中央部分に縫着した提げ手である。また、４、４は袋主体の上縁両側端に設けたハトメ孔で、図示しないコンバイン等の係止杆に係止できるようにしたものである。このような収納袋の基本的構成は、従来と変わるところはない。
【００２３】
本発明の特徴的なところは、袋本体を構成する生地の構成にある。即ち、従来、袋本体を構成する生地は、一般に適宜な目巾のメッシュ地、又は、クロス地等の単一素材で構成されていた。これに対し、本発明では、生地の素材として、性質が互いに異なる表地と裏地からなる二重構造の生地を採用した。
【００２４】
即ち、表地１ａは、例えば適宜な太さのポリエステルフィラメント糸を複数束ねたものを網状に編成しメッシュ構造とした生地からなり、収納物の保管に適した通気性を具備したもので構成する。この生地は、従来からこの種の収納袋に広く採用されているものであり、耐久性に優れるとともに、取扱いが容易である。本例では、１２７ｇ／ｍ２の重量のものを用いる。
【００２５】
裏地１ｂは、例えば極細のポリエステルフィラメント糸を目巾が０．２mm〜０．４mmの平織りにした生地で構成する。この裏地１ｂは、こしが強くはりがあり、表面はきわめて平滑である。また、表地１ａほどではないが通気性を有し、その通気性は、収納袋として本来的に求められる通気性を阻害するものではなく、問題とはならない。そして、目巾が細かいため野毛が引っ掛かることがなく、穀粒粉も透過させないものである。また本例では、およそ２７ｇ／ｍ２の軽量に構成されている。なお、使用する合成繊維としては、上記ポリエステル繊維の他、ポリオレフィン系繊維やポリアミド系繊維など周知の合成繊維を採用できる。
【００２６】
そして、上記表地１ａと裏地１ｂとを重ねた上で、裏地１ｂが内側になるように袋状に縫製し、袋本体１を構成する。なお、その大きさは、収納物により任意に選定することができる。即ち、収納物が生籾や麦の場合には、収納時の重量が大きくなるので、運搬作業を考慮した重量になるような、比較的小さなものとし、籾殻など軽量なものを収納する場合は、多少大きなサイズとなってもよい。また、図示したような偏平な収納袋に限定するものではなく、直方体形状や円筒形状で蓋部及び底部のある自立式の比較的大型の収納袋に適用することも可能である。
【００２７】
上記構成からなる収納袋は、内側の全面が上記目巾が細かく平滑な裏地１ｂで形成されるので、野毛の多い穀物を収納しても、野毛が裏地に引っ掛かることがなく、排出時に完全に全量を排出でき、残留を生じない。そのため、作業性に優れ、効率よい作業が期待できる。また、穀粒粉を透過させないので、粉塵を生ずることがなく、作業環境を良好に維持するという効果がある。
【００２８】
また、生地を二重構造にしているため、従来の収納袋と比較して強靱であり、繰り返しの利用にも適している。さらに、裏地１ｂは薄く軽量であるため、従来の単一の生地からなる収納袋と比較しても、重量がほとんど変わらないので、取扱いに支障が出ることはない。なお、裏地１ｂは表地１ａほどではないが通気性を有するので、重ねて使用しても収納袋が本来的に求める通気性を阻害するものではなく、袋全体としても適度な通気性を有するので、収納物が蒸れることがなく、長期の保管に適しているほか、裏地１ｂは雨水などに対してある程度の撥水性があるので、この点でも保管に適している。
【００２９】
さらに、裏地１ｂは目巾が０．２mm〜０．４mmの平織りにした生地であるので、微細な害虫の侵入を確実に防止することができる。そのため、従来の収納袋より長期保管に適している。また、目巾が細かくある程度の遮光性があるので、紫外線や赤外線等の光線の影響から収納物を保護する効果も期待できる。
【００３０】
なお、上記説明では、主に野毛を有する作物の収納について説明したが、大豆や小豆等、種々の作物の収納に利用できることは勿論である。
【符号の説明】
【００３１】
１    袋本体
１ａ  表地
１ｂ  裏地
２    開閉具
３    提げ手
４    ハトメ孔
【図１】
0005469427.tif 000002
【図２】
0005469427.tif 000003